(57)【要約】  本発明は、ブラシヘッドが本体に対して露出または収納される過程でブラシヘッドが損傷しないようにするために、押し棒によってブラシヘッドが進退する化粧用ブラシに関する。この化粧用ブラシは、構造および操作が単純であって価格競争力が向上し、長さが短くて携帯が容易であり、機械機構の使用に慣れてない人達にも便利である。本発明の化粧用ブラシは、前方出入部および後方挿入部を有する本体と、前記本体に対して出入部を介して出没するブラシヘッドを含む対象部材と、前記本体からの前記ブラシヘッドの露出を可能にする押し棒と、平常の際には前記本体の出入部を覆う蓋の役割を果たし、前記押し棒によって前記本体から前記ブラシヘッドを露出させる役割を果たす蓋とを含んでなる。
2010502264.tif 000002
【特許請求の範囲】
【請求項１】
前方出入部および後方挿入部を有する本体と、
前記本体に対して出入部を介して出没し且つ前記本体の前方側に位置するブラシヘッドを含む対象部材と、
前記本体からの前記ブラシヘッドの露出を可能にする押し棒と、
前記本体の出入部側に結合して平常の際には蓋の役割を果たし、前記本体の挿入部側に結合する場合には前記押し棒によって前記本体から前記ブラシヘッドを露出させる役割を果たす蓋とを含んでなることを特徴とする化粧用ブラシ。
【請求項２】
露出された前記対象部材の前記ブラシヘッドの収納手段をさらに含むことを特徴とする請求項１に記載の化粧用ブラシ。
【請求項３】
前記収納手段は、前記ブラシヘッドの後面と前記本体とを連結するコイルスプリングであることを特徴とする請求項２に記載の化粧用ブラシ。
【請求項４】
前記収納手段は、前記蓋が前記本体の出入部を覆う場合に前記ブラシヘッドを後方に加圧する前記押し棒として実現されることを特徴とする請求項２に記載の化粧用ブラシ。
【請求項５】
前記収納手段は、
前記対象部材を成し、前記ブラシヘッドに連結された後方案内体の後面に備えられた嵌合溝と、
前記押し棒の端部に備えられ、前記対象部材の案内体の嵌合溝に嵌合される前狭後広形状の嵌合突起とからなることを特徴とする請求項２に記載の化粧用ブラシ。
【請求項６】
前記対象部材の前記案内体の嵌合溝は、切開部によって弾性力を得る弾性係止部材からなることを特徴とする請求項５に記載の化粧用ブラシ。
【請求項７】
前記対象部材の前記ブラシヘッドが前記本体から前記出入部を介して露出された状態および前記ブラシヘッドが前記本体に内蔵された状態の安定性を保障する止め手段をさらに含むことを特徴とする請求項１ないし請求項６のいずれか１項に記載の化粧用ブラシ。
【請求項８】
前記止め手段は、前記本体の前方および後方から前記蓋が分離されることを防止する抵抗部材を含むことを特徴とする請求項７に記載の化粧用ブラシ。
【請求項９】
前記抵抗部材は、
前記本体または前記蓋に備えられた弾性締付部材と、
前記蓋または前記本体に配列され、前記弾性締付部材に結合する被締付部材とを含んでなることを特徴とする請求項７に記載の化粧用ブラシ。
【請求項１０】
前記抵抗部材は、前狭後広の形状を有する前記蓋の内部空間によって実現されることを特徴とする請求項７に記載の化粧用ブラシ。
【発明の詳細な説明】
【技術分野】
【０００１】
本発明は、唇、眉、瞼、頬などのメーキャップの際に用いられる化粧用ブラシに係る。さらに詳しくは、ブラシヘッドの露出および収納過程でブラシヘッドが損傷しないようにするために、押し棒によってブラシヘッドが進退し、その構造および操作が単純であって価格競争力が向上し、長さが短くて携帯が容易である上、機械機構の使用に慣れてない人達にも便利な化粧用ブラシに関する。
【背景技術】
【０００２】
化粧用ブラシはその種類が様々である。ある化粧用ブラシは、蓋の開閉動作によりブラシヘッドが露出されるか、あるいは覆われて保護される形態である。韓国実用新案登録第０４０００７７号（２００５年１０月２５日）には、ブラシヘッドが柄に対して進退することにより露出または収納される形態の化粧用ブラシ器具が開示されている。
【０００３】
韓国実用新案登録公告第１９８２−００００８６５号公報（１９８２年４月２６日）には、通常のボールペンを変形適用し、ブラシ本体に内蔵されたブラシバーを押すと、コイルスプリングが収縮しながらブラシヘッドが露出され、掛着片を押すと、スプリングに対する拘束が解除されてブラシヘッドがさらにブラシ本体内に収納される形態の化粧用ブラシが開示されている。前記韓国実用新案登録公告第１９８２−００００８６５号公報記載のものだけでなく、従来のボールペンに一般に用いられたボールポイントの出没構造を化粧用ブラシ分野に適用したものとしては、韓国実用新案登録第０３０４０４３号公報（２００３年１月３０日）に開示されている化粧用リップブラシがある。
【０００４】
上述した文献（韓国実用新案公告および韓国実用新案登録）に開示された化粧用ブラシは、従来のボールペンのボールポイントをブラシ部分で代替したものに過ぎず、ブラシ部分とコイルスプリングとの衝突によってブラシ部分の外側毛が容易に折り曲げられ、使用時間の経過に伴ってブラシの破損とこれによる品質低下を起す。すなわち、ブラシの商品性が低下する。
【０００５】
韓国実用新案登録第０３１９２６１号公報（２００３年６月２７日）には、前記韓国実用新案登録第０３０４０４３号公報で提起された、プッシャーがブラシ部分の突出状態で何の抵抗もなく進退するという問題を解決するために、前記プッシャーを後方に弾支することが可能な別途のコイルスプリングを導入した化粧用ブラシが開示されている。ところがこの化粧用ブラシも、ブラシの下部に位置したコイルスプリングによってブラシ部分の外側毛が損傷するという問題を依然として抱えている。
【０００６】
前述した２つの韓国実用新案登録に開示された化粧用ブラシの使用時の問題点を解決するために、韓国実用新案登録第０１８１１２２号公報（２０００年２月２４日）は、二重スプリング構造を持つ化粧用ブラシを開示している。また、韓国実用新案登録第０１８１１２２号に開示された化粧用ブラシでは、韓国実用新案登録第０３０４０４３号公報および韓国実用新案登録第０３１９２６１号公報でブラシ側に備えられていたスプリングが後方に位置するように変形させている。また、韓国実用新案登録第０１８１１２２号公報に開示された化粧用ブラシによれば、プッシャーが常に別途のスプリングによって弾支され、抵抗なしで進退するようにする。
【０００７】
ところが、韓国実用新案登録第０１８１１２２号公報に開示された化粧用ブラシは、２つのスプリングの導入により構成が複雑になり、より直径の小さいブラシの導入または多様な外観デザインの導入に限界がある。その結果、化粧用ブラシの生産コストが高くなる。一般に化粧品販売の際に無償で供給されるブラシの流通特性上、コスト節減問題は大手化粧品会社にＯＥＭ方式で納品するブラシ製造会社にとっては死活の問題であることを考慮すると、コスト上昇の要因は致命的である。
【発明の概要】
【発明が解決しようとする課題】
【０００８】
本発明は、上述した問題点に鑑みてなされたもので、使用が簡便で、製造コストが低く、ブラシヘッドの損傷可能性を最小化した化粧用ブラシを提供する。この化粧用ブラシは、ボールペン型化粧用ブラシが有する、スプリングによるブラシヘッド損傷の問題点または複雑な構成によるコスト上昇の問題点を全て解決する。
【０００９】
本発明の目的は、本体の内部に収納されて進退するブラシヘッドを含む対象部材の前後進が、蓋に結合している押し棒によってなされるようにして、単純な構造を有し、作動信頼性が保障されるうえ、ブラシヘッド損傷の問題がない化粧用ブラシを提供することにある。
【００１０】
本発明は、押し棒によって対象部材を押してブラシヘッドを露出させ、メーキャップにブラシを使用した後、さらにブラシヘッドを収納する場合に用いられる収納手段を含む。前記収納手段は、前記ブラシヘッドの後面と前記本体とを連結するコイルスプリングであってもよい。また、代案的に、前記収納手段は、前記蓋が前記本体の出入部を覆う場合、前記ブラシヘッドを後方に加圧する前記押し棒によって実現できる。
【００１１】
別の方式では、前記対象部材の案内体に設けられた嵌合溝の弾性係止部材によって前狭後広形状の嵌合突起が嵌め込まれており、前記押し棒を後進させることにより、前記ブラシヘッドも後進し、前記案内体が前記本体の後端部材に係止されてそれ以上後進が不可能な状態で、前記押し棒にさらに力を加えて後進させると、前記弾性係止部材が前記押し棒の嵌合突起の嵌め込みを解除することにより、前記ブラシヘッドの進退が行われる。
【００１２】
本発明は、前記対象部材のブラシヘッドが前記本体の出入部側に露出された状態、および前記本体に内蔵された状態の安定性を保障する止め手段を導入する。前記止め手段は、前記対象部材の進退範囲を限定する停止部材と、前記本体の前方および後方から前記蓋が分離されることを防止する抵抗部材とを含んでなる。
【課題を解決するための手段】
【００１３】
上記目的を達成するために、本発明は、前方出入部および後方挿入部を有する本体と、前記本体に対して出入部を介して出没し且つ前記本隊の前方側に位置するブラシヘッドを含む対象部材と、前記本体からの前記ブラシヘッドの露出を可能にする押し棒と、前記本体の出入部側に結合して平常の際には蓋の役割を果たし、前記本体の挿入部側に結合する場合には前記押し棒によって前記ブラシヘッドを露出させる役割を果たす蓋とを含んでなる、化粧用ブラシを提供する。
【００１４】
また、本発明に係る化粧用ブラシは、露出された前記対象部材のブラシヘッドの収納手段をさらに含むことが好ましい。この際、前記収納手段は、前記ブラシヘッドの後面と前記本体とを連結するコイルスプリングであってもよい。また、前記収納手段は、前記蓋が前記本体の出入部を覆う場合、前記ブラシヘッドを後方に加圧する前記押し棒によって実現できる。
【００１５】
代案的に、前記収納手段は、前記対象部材を成し、前記ブラシヘッドに連結された後方案内体の後面に備えられた嵌合溝と、前記押し棒の端部に備えられ、前記対象部材の案内体の嵌合溝に嵌合される前狭後広形状の嵌合突起とからなってもよい。
【００１６】
一方、本発明に係る化粧用ブラシは、前記対象部材のブラシヘッドが前記本体から前記出入部を介して露出された状態、および前記ブラシヘッドが前記本体に内蔵された状態の安定性を保障する止め手段をさらに含むことが好ましい。この際、前記止め手段は、前記本体の前方および後方から前記蓋が分離されることを防止する抵抗部材を含んでもよい。前記抵抗部材は、前記本体または前記蓋に備えられた弾性締付部材と、前記蓋または前記本体に配列され、前記弾性締付部材に結合する被締付部材とを含んでもよい。
【００１７】
代案的に、前記抵抗部材は、前狭後広の形状を有する前記蓋の内部空間によって実現されてもよい。
【発明の効果】
【００１８】
上述したように、本発明に係る化粧用ブラシは、本体の内部に収納されて進退するブラシヘッドを含む対象部材の前後進が、蓋に結合している押し棒によってなされるようにして、構造が単純であり、作動信頼性が保障されるうえ、ブラシヘッド損傷の問題がない。
【００１９】
また、前記押し棒によって対象部材を押してブラシヘッドを露出させてメーキャップにブラシを使用した後、さらにブラシヘッドを収納する場合、前記対象部材の案内体に設けられた嵌合溝の弾性係止部材によって前狭後広形状の嵌合突起が挟持されており、前記押し棒を後進させることにより前記ブラシヘッドも後進し、前記案内体が前記本体の後端部材に係止されてそれ以上後進が不可能な状態で、前記押し棒に力をさらに加えて後進させると、前記弾性係止部材が前記押し棒の嵌合突起を解除する方式で、前記ブラシヘッドの進退が行われる。
【００２０】
また、本発明は、前記対象部材のブラシヘッドが前記本体の出入部側に露出された状態および前記ブラシヘッドが前記本体に内蔵された状態の安定性を保障する止め手段を導入するが、前記止め手段は、前記対象部材の進退範囲を限定する停止部材と、前記本体の前方および後方から前記蓋が分離されることを防止する抵抗部材とを含んでいる。
【００２１】
その結果、価格競争力を向上させることができる。また、ブラシの長さが短くて携帯が便利である。
【００２２】
本発明に係る化粧用ブラシは、従来の各種ブラシに比べて使用が簡便であり、コストが低く、ブラシヘッドの損傷可能性を最小化したものである。本発明は、特にボールペン型化粧用ブラシが有する、スプリングによるブラシヘッド損傷の問題点または複雑な構成によるコスト上昇の問題点を全て解決した発明であって、産業的な利用価値が期待される。
【図面の簡単な説明】
【００２３】
【図１】本発明の一実施例に係る化粧用ブラシを示す断面図である。
【図２】本発明の一実施例に係る化粧用ブラシを示す断面図である。
【図３】本発明の他の実施例に係る化粧用ブラシを示す断面図である。
【図４】本発明の他の実施例に係る化粧用ブラシを示す断面図である。
【発明を実施するための形態】
【００２４】
以下、添付図面を参照して本発明を詳細に説明する。
【００２５】
各図面において、同一の参照符号、特に十の桁および一の桁、あるいは十の桁、一の桁およびアルファベットが同じ参照符号は同一の機能を有する部材を示し、特に言及されない限り、各参照符号が指す部材はこのような基準に準じる部材として把握すればよい。
【００２６】
本発明に係る化粧用ブラシＢを説明するにおいて、方向基準を図１および図２に基づいて特定すると、ブラシＢの本体１０において、対象部材２０のブラシヘッドが出没する出入部１１側を前方とし、前記ブラシヘッド２１の露出のために前記押し棒３０が挿入される挿入部１３側を後方とする。
【００２７】
図１および図２において、本発明に係るブラシＢは、本体１０、蓋４０、ブラシヘッド２１を含む対象部材２０、および前記ブラシヘッド２１が前記本体１０の出入部１１を介して出没するようにする押し棒３０を含んでなる。
【００２８】
前記本体１０と前記蓋４０の内外面の主な形状は円形管の形状であるが、図示した形状により本発明は制限されず、多様な形状への変形が可能である。前記本体１０は、前記ブラシヘッド２１が出没する前方出入部１１、および前記ブラシヘッド２１を露出させるために加圧する役割を果たす押し棒４１が挿入される後方挿入部１３を有する。
【００２９】
前記本体１０に内蔵された対象部材２０は、多様な大きさと形態のブラシヘッド２１と、前記ブラシヘッドの後方に配列された案内体２３とからなる。前記蓋４０は、前記本体１０の出入部１１側に結合して平常の際には蓋の役割を果たし、前記本体１０の挿入部１３側に結合する場合には内周面に備えられた前記押し棒３０を介して前記ブラシヘッドを露出させる役割を果たす。
【００３０】
前記蓋部４０は、前記蓋の前方（蓋が前記本体の挿入部に結合している場合を基準とする）に設けられた開口部４１と、後方の閉鎖部４３を有する。前記押し棒３０は、前記蓋４０の内部中央に配列固定されるようにするために、結合ディスク３３が接着剤などによって前記蓋４０の閉鎖部４３の内面に接合固定されている形態である。
【００３１】
前記蓋４０が前記本体１０の後方に結合する場合、前記押し棒３０が前記対象部材２０の案内体２３の後面を加圧することにより、前記本体に収納されていたブラシヘッド２１を露出させることができる。
【００３２】
次に、前記蓋４０を前記本体１０から分離する場合には、前記押し棒３０は前記ブラシヘッド２１をそれ以上押さなくなる。収納手段は、この際、前記ブラシヘッド２１が前記押し棒３０の後進に伴って前記本体内に収納されるようにするための手段である。
【００３３】
図１および図２に示した収納手段は、前記ブラシヘッドの後面と前記本体とを連結するコイルスプリング（Ｃ）である。前記コイルスプリングが前記ブラシヘッド２１を後方に引っ張ることにより、収納がなされる。
【００３４】
図１および図２に示したブラシＢにおいて、前記対象部材のブラシヘッドが前記本体の出入部側に露出された状態および前記ブラシヘッドが前記本体に内蔵された状態の安定性を保障する止め手段が必要である。図３および図４には、多様な形態の止め手段が示されている。また、コイルスプリング（Ｃ）形態の前記収納手段は、後述する前広後狭形状の押し棒の嵌合突起と前記対象部材の嵌合溝で代替されてもよい。
【００３５】
次に、図３および図４に示したブラシＢについて考察する。
【００３６】
図１では収納手段がコイルスプリング（Ｃ）として実現されたが、これに対し、図３および図４では、露出された前記ブラシヘッド２１のための収納手段が、前記押し棒３０の前端（蓋が前記本体の挿入部に結合している場合を基準とする）に設けられた前広後狭形状の嵌合突起３１と、前記嵌合突起に嵌合され、前記対象部材２０の案内体２３の後面に位置した嵌合溝２５とからなる。
【００３７】
前記押し棒の嵌合突起３１は、前方から後方に行くほど漸次断面積が増加する前端傾斜部３１ａと、前記傾斜部が終わる地点で急激に（または垂直に）傾いた後端離脱防止部３１ｂとを有する。前記押し棒３０の嵌合突起３１に嵌合される嵌合溝２５は、前記対象部材２０の案内体２３に設けられている。
【００３８】
前記嵌合溝は、前記押し棒３０の嵌合突起３１との嵌合を確実にし、あるいは適切に解除するようにするために、弾性係止部材を備えるべきである。前記嵌合溝２５の形状と前記嵌合突起３１の形状は同様であってお互いに対応する。
【００３９】
特に、図面において、前記弾性係止部材２５ａは、前記案内体２３の嵌合溝２５の周辺に設けられた切開部２５ｂ（図１には隠線で示される）（円形管と対称の形態であって、２箇所またはそれ以上に切開形成された形態）によって形成される。前記弾性係止部材２５ａは、前記案内体２３の素材（通常、合成樹脂素材）が持つ自体弾性によってまるで板バネの如き弾性力を有する。
【００４０】
したがって、前記対象部材２０のブラシヘッド２１を露出させるために、前記押し棒３０が前記案内体２３の嵌合溝２５に嵌合される場合には、前記嵌合突起３１の傾斜部３１ａが投入されることにより、前記弾性係止部材２５ａの間が開きながら漸次収容される。よって、前記嵌合突起３１の傾斜部３１ａの区間を越えて離脱防止部３１ｂまで前記嵌合溝２５に収容されると、前記弾性係止部材２５ａは最初の状態に戻って前記嵌合突起３１を堅く挟持する。
【００４１】
ところが、実際、前記嵌合突起３１と前記嵌合溝２５とが完全に嵌合される状況は、前記押し棒３０によって前記対象部材２０が完全に押圧されて前記ブラシヘッド２１が前記本体１０の出入り部１１の外側に露出された後、後述する止め手段の停止部材を成す前記本体１０の前端に設けられた環状突起５１に前記対象部材２０の案内体２３の環状顎部２３ａが係止されてそれ以上前進できない状態で、引き続き前記押し棒３０を前進させようとする場合が大部分である。
【００４２】
よって、前記押し棒３０の嵌合突起３１が前記案内体２３の嵌合溝２５に軽く嵌合できる程度であるとともに、前記ブラシヘッド２１の使用後に前記押し棒３０を後進させることにより前記対象部材２０、結局は前記ブラシヘッド２１が後退して収納されるまで前記押し棒３０の嵌合突起３１が嵌め込まれており、収納手段を実現しなければならないので、前記弾性係止部材２５ａの弾性、および前記嵌合突起と前記嵌合溝との嵌合構造が適切に選択されなければならない。
【００４３】
次いで、前記押し棒３０によって前記ブラシヘッド２１が前記本体１０に完全に収納された後、前記蓋４０、結局は前記押し棒３０を後進させ続けると、前記対象部材２０の案内体２３より前方から後方へ傾いた形状に突き出しているため、一定の程度前記本体１０の内部面を弾支して安定な固定構造に寄与し、対象部材２０がややきつい感じで進退するようにする複数の弾性片２７の後端が停止部材（弾性締付部材５３Ａが機能する）によって係止されてそれ以上前記対象部材２０の後進が不可能となる。よって、この状態で前記押し棒３０を引っ張るので、前記案内体２３の弾性係止部材２５ａが開いてしまい、前記押し棒３０の嵌合突起３１は前記嵌合溝２５から分離される。
【００４４】
より容易に前記嵌合溝から前記嵌合突起が分離されるようにするため、前記押し棒３０の嵌合突起３１の離脱防止部３１ｂは、直角を成す形態よりは、図示の如く、前方（前記蓋が前記本体の挿入部側に結合している場合を基準とする）から後方に行くほど断面積が漸次減少する形態で傾いている（ところが、傾斜部３１ａより急な傾き）ことが好ましい。
【００４５】
次いで、前記蓋４０をさらに前記本体１０の出入部１１側に結合させると、前記ブラシヘッドが露出されて損傷しあるいは異物によって汚染して損傷することが防止される。この際、前記押し棒３０は前記対象部材２０のブラシヘッド２１の中間に挿入される形態であるが、これは前記ブラシヘッド２１のそれぞれの刷毛が分離された場合であろう。もし前記ブラシヘッドのそれぞれの刷毛が接着剤によって接着されている場合であれば、前記押し棒が前記ブラシヘッドに重なり合わないように前記本体、前記ブラシヘッド、前記押し棒、および前記蓋の寸法を調節しなければならない。
【００４６】
前記対象部材２０のブラシヘッド２１が前記本体１０の出入部１１側に露出された状態および前記ブラシヘッド２１が前記本体１０に内蔵された状態を固定する止め手段Ｓについて説明する。
【００４７】
まず、前記止め手段Ｓは、前記本体１０の内部空間において進退する前記対象部材２０の前進および後進の範囲を限定する停止部材Ｓ１を含む。
【００４８】
図３および図４において、前記本体１０に対して前記対象部材２０が前方に離脱することを防止し、前記ブラシヘッド２１が露出される程度を制限する停止部材Ｓ１は、前記本体１０の出入部１１側の内周面に設けられた環状突起５１と、この環状突起に係止され、前記対象部材２０の案内体２３の後端に位置する環状顎部２３ａとからなる。
【００４９】
前記環状突起５１は、図面では内周面に向かって直角に折り曲げられた形状であるが、一般には微細に内周面に向かって湾曲された形状であることが、アルミニウム素材からなるブラシケースの加工ではさらに普遍化されている。
【００５０】
この際、前記本体１０の出入部１１側の内周面には、図示していないが、板バネが配列されている。よって、前記本体１０の内周面の直径を減少させることにより、前記対象部材２０の案内体２３が前進して前記板バネの配列空間に達すると、ややきつい感じで進む。これにより、前記環状突起５１と前記案内体２３の環状顎部２３ａとの急激な衝突による損傷または騒音の発生を防止することができる。
【００５１】
また、前記本体１０に対して前記対象部材２０が後方に離脱することを防止するとともにストッパーの役割を果たして、前記対象部材の嵌合溝２５から前記押し棒３０の嵌合突起３１が分離されることを助ける停止部材Ｓ１は、前記本体１０の後方から前記蓋４０が分離されることを防止する抵抗部材Ｓ２を構成する弾性締付部材５３Ａと、前記弾性締付部材５３Ａの外郭スリーブに係止される前記案内体２３の弾性片２７とからなっている。
【００５２】
前記抵抗部材Ｓ２は、前記本体１０の前方および後方から前記蓋４０が分離されることを防止する。よって、前記抵抗部材Ｓ２は、前記ブラシヘッド２１が前記本体１０に収納された状態でブラシＢを運搬よび保管する場合、蓋４０が任意に分離されてブラシヘッド２１が露出されて損傷しあるいは異物によって汚染して損傷することを防止する。また、前記抵抗部材Ｓ２は、前記ブラシヘッド２１が露出されてメーキャップに使用される状態で前記ブラシヘッドが無駄に引っ込められて収納されることを防止することにより、使用の便利性および信頼性を保障する。前記抵抗部材Ｓ２は、前記本体１０の後方から蓋４０が単純な圧力または衝撃によって分離されることを防止するために、前記本体１０の後方の内周面に備えられた弾性締付部材５３Ａと、前記蓋４０の後方（前記蓋が前記本体の後方に結合している場合を基準とする）に備えられた被締付部材５３Ｂとからなっている。
【００５３】
前記締付部材５３Ａは、前端部に設けられた複数（好ましくは等間隔で３〜４個程度）の切開部５３ａ’および素材（例えば、合成樹脂）の特性によって弾性が得られ、端部に内向突出部５３ａが設けられている。
【００５４】
前記締付部材５３Ａの内向突出部５３ａは、前記締付部材の挿入孔５３Ａ’に挿入される前記被締付部材５３Ｂの端部の外向突出部５３ｂに弱く（ところが、任意分離は難しく）嵌合される。一方、前記締付部材５３Ａの挿入孔５３’に対して前記押し棒３０の投入も行われる。
【００５５】
図示していないが、前記抵抗部材は、前記蓋自体の形状、特に前狭後広の形状を有する前記蓋の内部空間によって実現できる。より具体的に、前記止め手段は、前記本体の外部形状と前記蓋の内部形状との相関関係、および前記本体の外部断面積と前記蓋の内部断面積との相関関係によって締まり嵌め方式を用いてきつい感じで相互結合して必要な位置で固定される。
【００５６】
すなわち、このような止め手段は、前記本体の出入部側に結合している蓋がそれ以上後進しないようにするとともに、前記本体の挿入部側に結合している蓋がそれ以上前進しないようにしながら、弱い分離力で容易に分離されない抵抗力を与える。
【００５７】
さらに詳しくは、前記本体の外面と前記蓋の内面とは略円形管を成す。前記本体は前方に行くほど内外面の断面積が狭くなる形状のテーパーを有し、前記蓋は前方に行くほど（前記蓋が前記本体の前方出入部に結合している場合）内外面の断面積が狭くなる形状のテーパーを有する。
【００５８】
よって、前記蓋は、前記本体の前後面と結合され、一定の深さ以上前記本体を収容すると、前記本体の外部の一定部分に係止されてそれ以上前後進が不可能となっている。
【００５９】
ひいては、前記蓋の内周面に板バネが内蔵されていても、前記本体の外径および形状と前記蓋の内径および形状とが精密でなくても、締まり嵌め方式の相互結合が可能であって、前記本体と前記蓋との結合程度、固定位置の制限および任意の分離を難しくする機能の実現が可能であろう。
【００６０】
以上説明した止め手段Ｓを成す停止部材Ｓ１および抵抗部材Ｓ２は、多様な方式で変形でき、各形態はお互いに組み合わせて導入できる。
【００６１】
次に、図示していないが、携帯の容易性を有し且つ置かれた位置で任意に転がり回らないようにするクリップが、前記本体または前記蓋に備えられることが好ましい。前記グリップは、前記蓋４０は外周面に備えられていてもよい。
【００６２】
図示したブラシＢにおいて、前記クリップは、前記本体に備えられることが不可能である。ところが、前記クリップが前記本体の後方に備えられており、前記蓋が前記本体の後方に結合する場合を考慮し、前記蓋には後方から前方に（前記蓋が前記本体の出入部側に結合する場合）開いた切開部が設けられているため、前記本体の挿入部に前記蓋が結合する場合には前記切開部に前記クリップが収容される形態にすれば可能となる。
【符号の説明】
【００６３】
Ｂ：ブラシ
１０：本体
１１：出入部
１３：挿入部
２０：対象部材
２１：ブラシヘッド
２３：案内体
２５：嵌合溝
２５ａ：弾性係止部材
３０：押し棒
３１：嵌合突起
３１：結合ディスク
４０：蓋
Ｓ：止め手段
Ｓ１：停止部材
Ｓ２：抵抗部材
５１：環状突起
５３Ａ：弾性締付部材
５３Ｂ：被締付部材
【図１】
2010502264.tif 000003
【図２】
2010502264.tif 000004
【図３】
2010502264.tif 000005
【図４】
2010502264.tif 000006
【国際調査報告】
2010502264.tif 000007
2010502264.tif 000008